(57)【要約】【課題】意匠性を損なうことなく縦框の小口側からの溶融を防止し、火災時において縦框小口近傍の扉体と枠体との間に室内外に連通する隙間の発生を防止することが可能な扉及び建具を提供する。【解決手段】長手方向に貫通する中空部を有し、中空部内に不燃性または難燃性の補強部材が設けられた一対の縦框と、長手方向に貫通する中空部を有し、中空部内に不燃性または難燃性の補強部材が設けられた一対の横框と、を有し、開口を形成する四方枠に取り付けられて開口を閉塞可能な扉であって、一対の縦框と一対の横框とのうちの一方が他方の間に介在されて一方の小口が他方に塞がれた状態にて框組みされた框体の、他方に設けられた補強部材には、当該扉が開口を閉塞した状態にて、四方枠と対向する対向部が設けられており、対向部に熱膨張性耐火材が設けられている。【選択図】図４
2014173250.tif 000002
【特許請求の範囲】
【請求項１】
長手方向に貫通する中空部を有し、前記中空部内に不燃性または難燃性の補強部材が設けられた一対の縦框と、
長手方向に貫通する中空部を有し、前記中空部内に不燃性または難燃性の補強部材が設けられた一対の横框と、
を有し、
開口を形成する四方枠に取り付けられて前記開口を閉塞可能な扉であって、
前記一対の縦框と前記一対の横框とのうちの一方が他方の間に介在されて前記一方の小口が他方に塞がれた状態にて框組みされた框体の、前記他方に設けられた前記補強部材には、当該扉が前記開口を閉塞した状態にて、前記四方枠と対向する対向部が設けられており、
前記対向部に熱膨張性耐火材が設けられていることを特徴とする扉。
【請求項２】
請求項１に記載の扉であって、
前記一対の縦框と前記一対の横框とのうちの前記他方の小口には、当該小口を覆うキャップが設けられており、
前記キャップには、前記熱膨張性耐火材と対向する部分に、前記中空部の内外を連通する連通孔が設けられていることを特徴とする扉。
【請求項３】
請求項１または請求項２に記載の扉であって、
前記補強部材は、本体部材と、前記本体部材に取り付けられる取付部材と、を有し、
前記対向部は、前記取付部材に設けられていることを特徴とする扉。
【請求項４】
請求項１乃至請求項３のいずれかに記載の扉と、
前記扉を回動自在に支持する前記四方枠と、
を有することを特徴とする建具。
【発明の詳細な説明】
【技術分野】
【０００１】
本発明は、框組みされた框体を有する扉及び建具に関する。
【背景技術】
【０００２】
框組みされた框体を有する扉及び建具としては、長手方向に貫通する中空部を有する框材でなる左右の縦框の間に上下の横框を取り付けた框体に面材を嵌め込んだ扉及びこの扉が、開口を形成する枠体に回動自在に設けられた建具が知られている。このような扉及び建具の中には、耐火性を備えるために、中空部に補強部材や耐火材を備えているものがある。
【発明の概要】
【発明が解決しようとする課題】
【０００３】
上記のような扉及び建具では、扉が有する框体の横框の小口は縦框にて塞がれており、縦框の小口は合成樹脂製の端部キャップにて覆われている。このため、横框は補強部材や耐火部材を備えた縦框に塞がれることにより、火炎等に晒されて加熱されても溶融しにくいが、縦框の端部キャップは加熱されると短時間で溶融するおそれがある。このため、端部キャップの表面に耐火材を設けて耐火性能を向上させているものがある。
【０００４】
しかしながら、端部キャップの表面は、枠体と対向して外部に露出する部位であるため、扉の開閉操作により他の部材と接触して擦れたり剥がれたりするおそれがあるとともに、外観に露出するため意匠性が悪いという課題や、樹脂部材に耐火材を取り付けている為、火災時の火炎による熱によって樹脂キャップが溶融し耐火材が剥がれ落ちることで縦框小口近傍の扉と枠体との間に室内外に連通する隙間が発生するといった課題がある。
【０００５】
本発明は、かかる課題に鑑みてなされたものであり、その目的とするところは、意匠性を損なうことなく縦框の小口側からの溶融を防止し、火災時において縦框小口近傍の扉と枠体との間にて室内外に連通して火炎や熱風の進入口となる隙間の発生を防止することが可能な扉及び建具を提供することにある。
【課題を解決するための手段】
【０００６】
かかる目的を達成するために本発明の扉は、長手方向に貫通する中空部を有し、前記中空部内に不燃性または難燃性の補強部材が設けられた一対の縦框と、長手方向に貫通する中空部を有し、前記中空部内に不燃性または難燃性の補強部材が設けられた一対の横框と、を有し、開口を形成する四方枠に取り付けられて前記開口を閉塞可能な扉であって、前記一対の縦框と前記一対の横框とのうちの一方が他方の間に介在されて前記一方の小口が他方に塞がれた状態にて框組みされた框体の、前記他方に設けられた前記補強部材には、当該扉が前記開口を閉塞した状態にて、前記四方枠と対向する対向部が設けられており、前記対向部に熱膨張性耐火材が設けられていることを特徴とする扉である。
【０００７】
このような扉によれば、框組みされた框体にて小口が塞がれずに開放されてしまう一対の縦框または一対の横框の中空部内の端部側に各々設けられている熱膨張性耐火材は、当該扉が取り付けられている四方枠が形成する開口を閉塞した状態にて、四方枠と対向する対向部が設けられている。このため、開放されてしまう一対の縦框または一対の横框の小口近傍が火炎等により加熱されると熱膨張性耐火材が、対向している四方枠側に向かって膨出するので、火災時において縦框小口近傍の扉と枠体との間にて室内外に連通して火炎や熱風の進入口となる隙間の発生を防止することが可能である。
【０００８】
また、熱膨張性耐火材は、開放されてしまう一対の縦框または一対の横框の中空部内に設けられている不燃性または難燃性の補強部材に設けられているので、たとえ火炎等に晒されたとしても熱膨張性耐火材が脱落することはなく、熱膨張性耐火材を補強部材とともに留まらせることが可能である。
【０００９】
また、熱膨張性耐火材は、一対の縦框または一対の横框の中空部内であって、端部側に設けられているので、外部に露出させることなく、小口近傍にて火炎等の進入を防止することが可能である。よって、意匠性を損なうことなく一対の縦框または一対の横框の小口側からの溶融を防止することが可能である。
【００１０】
かかる扉であって、前記一対の縦框と前記一対の横框とのうちの前記他方の小口には、当該小口を覆うキャップが設けられており、前記キャップには、前記熱膨張性耐火材と対向する部分に、前記中空部の内外を連通する連通孔が設けられていることが望ましい。  
このような扉によれば、框組みされて小口が塞がれずに開放されてしまう一対の縦框または一対の横框の小口を覆うキャップを有しているので、小口が開放されてしまう一対の縦框または一対の横框のエッジを覆うことにより、意匠性が向上する。また、キャップには、熱膨張性耐火材と対向する部分に、中空部の内外を連通する連通孔が設けられているので、火炎等が直に熱膨張性耐火材を加熱するため、より早く、より確実に熱膨張性耐火材を膨出させることが可能である。
【００１１】
かかる扉であって、前記補強部材は、本体部材と、本体部材に取り付けられる取付部材と、を有し、前記対向部は、前記取付部材に設けられていることが望ましい。  
このような扉によれば、熱膨張性耐火材は、小口が開放されてしまう一対の縦框または一対の横框の中空部内に設けられ、本体部材と、本体部材に取り付けられる取付部材とで構成される不燃性または難燃性の補強部材の、取付部材に設けられているので、たとえ火炎等に晒されたとしても熱膨張性耐火材が脱落することはなく、熱膨張性耐火材を本体部材及び取付部材とともに留まらせることが可能である。また、熱膨張性部材が、本体部材に取り付けられる取付部材に設けられているので、本体部材及び取付部材をより簡単な形状として製造性を高めることが可能である。
【００１２】
また、扉と、前記扉を回動自在に支持する四方枠と、を有することを特徴とする建具である。  
このような建具によれば、意匠性に優れ、縦框の小口側からの溶融を防止することが可能な耐火性能を備えた扉を有する建具を提供することが可能である。
【発明の効果】
【００１３】
本発明によれば、意匠性を損なうことなく縦框の小口側からの溶融を防止し、火災時において縦框小口近傍の扉体と枠体との間に室内外に連通する隙間の発生を防止することが可能な扉及び建具を提供することが可能である。
【図面の簡単な説明】
【００１４】
【図１】本実施形態に係る建具の縦断面図である。
【図２】本実施形態に係る建具の横断面図である。
【図３】本実施形態の戸先框の横断面図である。
【図４】本実施形態の戸先框の下端部の構成を示す斜視図である。
【図５】本実施形態の戸先框の下端部に設けられた熱膨張性黒鉛を示す側面図である。
【図６】本実施形態の戸先框の下端部の構成の変形例を示す斜視図である。
【発明を実施するための形態】
【００１５】
以下、本発明の一実施形態に係る建具について図面を参照して説明する。  
本実施形態の建具１は、図１、図２に示すように、矩形状に枠組みされて開口を形成する枠体１０と、枠体１０に回動自在に支持されて開口を閉塞自在な扉２０とを備えている。
【００１６】
以下の説明においては、建具１が建物等に取り付けられた状態において、上下となる方向を上下方向、左右となる方向を左右方向または見付け方向、室内外方向である奥行き方向を見込み方向として示す。また、建具１が備える各部材は、単体として説明する場合であっても、建物等に取り付けられた状態で上下方向、見付け方向、見込み方向等となる方向にて方向を特定して説明する。また、建具１を構成する各部材については、枠体１０及び框体２３の面内方向における中央側を内周側、枠体１０及び框体２３の外側を外周側として示す。
【００１７】
本実施形態の建具１は、上下の横枠としての上枠１１及び下枠１２と左右の縦枠１３、１４とが枠組みされた四方枠としての枠体１０と、一方の縦枠側にて回動自在に支持され、回動することにより枠体１０にて形成される開口を開閉可能な扉２０と、を有している。
【００１８】
上枠１１、下枠１２、左右の縦枠１３は、いずれも室外側に配置されてアルミニウム製の押出成形部材でなる外枠部１１ａ、１２ａ、１３ａと、外枠部１１ａ、１２ａ、１３ａの室内側に取り付けられる合成樹脂製の押出成形部材でなる内枠材１１ｂ、１２ｂ、１３ｂと、を有している。外枠部１１ａ、１２ａ、１３ａは、いずれも長手方向に貫通する枠中空部１１ｃ、１２ｃ、１３ｃを有しており、左右の縦枠１３の外枠部１３ａが有する枠中空部１３ｃには、長手方向に沿うとともに全長にわたって鉄製で断面形状がコ字状をなす補強部材３０が設けられている。また、上枠１１と左右の縦枠１３には、扉２０が閉じられた状態にて、扉２０の外周面２１ｇ、２２ｇと対向する枠内周面１１ｄ、１３ｄに、加熱されて発泡する熱膨張性耐火材としての熱膨張性黒鉛３８が設けられている。
【００１９】
扉２０は、上下方向に沿って配置される戸先框及び吊り元框をなす一対の縦框２１の上端部と下端部とにて、当該一対の縦框２１間に上下一対の横框２２が介在され、一対の縦框２１により一対の横框２２の小口が塞がれて矩形状に框組みされた框体２３と、框体２３に囲まれた領域を塞ぐように設けられた複層ガラス３とを有している。本実施形態においては、一対の縦框２１と一対の横框２２とのうちの一方が、一対の横框２２に相当し、他方が一対の縦框２１に相当する。
【００２０】
一対の縦框２１及び上下の横框２２は、いずれも室外側に配置されてアルミニウム製の押出成形部材でなる外框部２１ａ、２２ａと、外框部２１ａ、２２ａの室内側に取り付けられる合成樹脂製の押出成形部材でなる内框材２１ｂ、２２ｂと、を有している。
【００２１】
外框部２１ａ、２２ａは、いずれも長手方向に貫通する框中空部２１ｃ、２２ｃを有しており、各框中空部２１ｃ、２２ｃには、長手方向に沿うとともにほぼ全長にわたって鉄製で断面形状がコ字状をなす補強部材３１が設けられている。
【００２２】
補強部材３１は、各框中空部２１ｃ、２２ｃにおいて框体２３の外周側と内周側とにそれぞれコ字状をなす補強部材３１の対向する対向壁部３１ａが位置し、各框中空部２１ｃ、２２ｃの室外側に対向壁部３１ａを繋ぐ連結壁部３１ｂが配置されている。また、各補強部材３１の連結壁部３１ｂには、室内側面に熱膨張性黒鉛３８が、補強部材３１の全長に渡って設けられている。
【００２３】
一対の縦框２１及び上下一対の横框２２の各框中空部２１ｃ、２２ｃに設けられた補強部材３１のうち、一対の縦框２１の框中空部２１ｃに設けられた補強部材３１は、図３〜図５に示すように、相対向する一対の対向壁部３１ａのうちの一方の対向壁部３１ａが、上枠１１または下枠１２に向かって連結壁部３１ｂより突出するとともに連結壁部３１ｂ側にほぼ直角に折り曲げられた折曲部３１ｃを有しており、折曲部３１ｃの、各縦框２１外に臨む面３１ｄに熱膨張性黒鉛３８が設けられている。すなわち、補強部材３１に設けられた折曲部３１ａの、各縦框２１外に臨む面３１ｄは、扉２０が枠体１０にて形成される開口を閉塞した状態にて、枠体１０と対向する対向部であり、各縦框２１外に臨む面３１ｄに設けられた熱膨張性黒鉛３８は、各縦框２１の框中空部２１ｃ内の上端部側及び下端部側に、各小口２１ｈ側に向かって膨出可能に設けられている。つまりは、熱膨張性黒鉛３８は、各縦框２１の上端部側及び下端部側に対向する枠に向かって、それぞれ膨出可能に設けられている。
【００２４】
一対の縦框２１及び上下の横框２２は、各外框部２１ａ、２２ａの室外側及び各内框材２１ｂ、２２ｂの室内側から各々内周側に突出して、複層ガラス３の外周部を、ガスケット４を介して収容する収容部２１ｄ、２２ｄを形成する外框内周突出部２１ｅ、２２ｅと内框内周突出部２１ｆ、２２ｆとを有している。
【００２５】
一対の縦框２１及び上下の横框２２が有する各収容部２１ｄ、２２ｄ内と、扉２０が閉じられた状態にて、枠内周面１１ｄ、１２ｄ、１３ｄと対向する扉２０の外周面２１ｇ、２２ｇとに、加熱されて発泡する熱膨張性黒鉛３８が全長に渡って設けられている。
【００２６】
一対の縦框２１の上下端部には、一対の縦框２１の各小口２１ｈを覆う合成樹脂製のキャップ２５が各々嵌合されている。キャップ２５は、各縦框２１に嵌合された状態にて、各縦框２１内に設けられた補強部材３１の折曲部３１ｃに設けられた熱膨張性黒鉛３８と近接し、近接する熱膨張性黒鉛３８と対向する部分に、框中空部２１ｃの内外を連通する連通孔２５ａが設けられている。このため、火炎等に晒された場合には、連通孔２５ａから進入する火炎や熱気により、熱膨張性黒鉛３８が加熱され、連通孔２５ａの外に向かうように膨出する。
【００２７】
本実施形態の扉２０によれば、框組みされた框体２３にて小口２１ｈが開放されてしまう戸先框及び吊り元框をなす一対の縦框２１の框中空部２１ｃ内の上端部側及び下端部側に各々設けられている熱膨張性黒鉛３８は、対向する上枠１１または下枠１２に向かって膨出可能である。このため、火炎等により一対の縦框２１の小口２１ｈ近傍が加熱されると熱膨張性黒鉛３８が、小口２１ｈ側に向かって膨出するので、火災時において縦框２１の小口２１ｈ近傍の扉２０と枠体１０との間にて室内外に連通して火炎や熱風の進入口となる隙間の発生を防止することが可能である。また、熱膨張性黒鉛３８は、一対の縦框２１の框中空部２１ｃ内であって、上端部側及び下端部側に設けられているので、熱膨張性黒鉛３８を外部に露出させることなく、小口２１ｈ近傍にて火炎等の進入を防止することが可能である。よって、意匠性を損なうことなく縦框２１の小口２１ｈ側からの溶融を防止することが可能である。
【００２８】
また、縦框２１の小口２１ｈを覆うキャップ２５を有しているので、縦框２１のエッジを覆うことにより、意匠性が向上する。また、キャップ２５には、熱膨張性黒鉛３８と対向する部分に、框中空部２１ｃの内外を連通する連通孔２５ａが設けられているので、火炎等が直に熱膨張性黒鉛３８を加熱するため、より早く、より確実に熱膨張性黒鉛３８を膨出させることが可能である。
【００２９】
上記実施形態においては、一対の縦框２１の框中空部２１ｃ内の上端部側及び下端部側に、対向する上枠１１または下枠１２に向かって膨出可能に熱膨張性黒鉛３８を設けた例について説明したが、より火炎に晒されやすい下端部側だけに設けられていてもよい。そして、戸先框は、枠体に支持されている吊り元框と比べて、熱により反りが生じやすいので、加熱されると上端が上枠と対向しない位置に移動し、下端が下枠１２と対向しない位置に移動しやすい。このため、一対の縦框２１の４つの端部のうち、より火炎により溶融しやすい戸先框の上端側と下端側とに、小口２１ｈ側に向かって膨出可能な熱膨張性黒鉛３８を設けてもよいし、最も隙間が生じやすい下端側のみとしても良い。
【００３０】
また、熱膨張性黒鉛３８は、縦框２１の框中空部２１ｃ内に設けられている鉄製の補強部材３１に設けられているので、たとえ火炎等に晒されたとしても熱膨張性黒鉛３８が脱落することはなく、熱膨張性黒鉛３８を補強部材３１とともに留まらせることが可能である。
【００３１】
上記扉２０を回動自在に支持する枠体１０を有する本実施形態の建具１によれば、意匠性に優れ、縦框２１の小口２１ｈ側からの溶融を防止することが可能な耐火性能を備えた扉２０を有する建具１を提供することが可能である。
【００３２】
上記実施形態においては、一対の縦框２１の框中空部２１ｃに設けられた補強部材３１の折曲部３１ｃに熱膨張性黒鉛３８が設けた例について説明したが、これに限るものではない。例えば、図６に示すように、補強部材３２が、断面がコ字状をなす鉄製の本体部材３３と、本体部材３３にビス止めされＬ字状をなす鉄製の取付部材３５とを有しており、ビス止めされた取付部材３５の、縦框２１外に臨む面(対向部)３５ａに熱膨張性黒鉛３８を設けてもよい。この場合には、熱膨張性黒鉛３８が、鉄製の本体部材３３と鉄製の取付部材３５からなる補強部材３２に設けられているので、たとえ火炎等に晒されたとしても熱膨張性黒鉛３８が脱落することはなく、熱膨張性黒鉛３８を補強部材３２の取付部材３５に留まらせることが可能である。また、熱膨張性黒鉛３８が、本体部材３３にビス止めされている取付部材３５に設けられるので、本体部材３３及び取付部材３５をより簡単な形状として製造性を高めることが可能である。
【００３３】
上記実施形態においては、補強部材３０、３１、及び、補強部材３２の本体部材３３を不燃性である鉄製としたが、ステンレス等の不燃性である金属等は、もちろんのこと、火災によりまず表面が炭化し、炭化した表面の断熱効果により内部に燃え進むことを遅らせる、例えば、ＭＤＦ・木材等のような難燃性の材料にて補強部材を構成しても構わない。
【００３４】
また、取付部材３５を不燃性である鉄製としたが、ステンレス等の不燃性である金属はもちろんのこと、燃焼に時間がかかる難燃性のブロック状の部材等にて構成しても構わない。
【００３５】
上記実施形態においては、一対の縦框２１の上端部と下端部とにて、当該一対の縦框２１間に上下一対の横框２２が介在されて、一対の縦框２１により一対の横框２２の小口が塞がれた框体２３を例に挙げて説明したが、一対の横框の左右端部にて、当該一対の横框間に左右一対の縦框が介在されて、一対の横框により一対の縦框の小口が塞がれた框体であっても構わない。この場合には、一対の横框の中空部内に設けられた補強部材に、扉が開口を閉塞した状態にて、枠体と対向する対向部が設けられており、対向部に熱膨張性黒鉛が設けられる。
【００３６】
上記実施形態においては、熱膨張性耐火材を熱膨張性黒鉛３８としたが、加熱されて膨張する耐火材であれば、熱膨張性黒鉛３８に限るものではない。
【００３７】
上記実施形態においては、複層ガラス３を用いた例について説明したが、１枚のガラス板であっても構わず、また、３枚以上の板ガラスを互いに間隔を隔てて対面させて一体に形成したガラス材であっても構わない。また、框体２３内に嵌め込まれる部材は、ガラスに限らず板状をなす内装材または外装材等であっても構わない。また、ガラス板を収容部内に組み込んだ構成に限らず、収容部内に、四方を框組みしてなるユニット框体内に２枚の障子を垂直方向に滑動自在に配した上げ下げ窓ユニットを組み込んだ通風ドアとしてもよいし、ユニット框体内に開き障子を組み込んだ構成としても良い。
【００３８】
上記実施形態においては、縦框２１及び上下の横框２２は、いずれも室外側に配置されてアルミニウム製の押出成形部材でなる外框部２１ａ、２２ａと、外框部２１ａ、２２ａの室内側に取り付けられる合成樹脂製の押出成形部材でなる内框材２１ｂ、２２ｂとしたが、本構成に限らず、室外側を合成樹脂製とし室内側をアルミニウム製としても良いし、大きな中空部を持つ室外側の外框部と室内側の内框部の２部材で組み合わせて縦框２１及び上下の横框を構成せずとも、大きな中空部を持つ外框部のみで縦框２１及び上下の横框を構成し、その際、アルミニウム製あるいは合成樹脂製として構成しても良い。
【００３９】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４０】
１  建具、１０  枠体、２０  扉、２１  縦框、２１ｃ  框中空部、２１ｈ  小口、
２２  横框、２３  框体、２５  キャップ、２５ａ  連通孔、３１  補強部材、
３２  補強部材、３３  本体部材、３５  取付部材、３８  熱膨張性黒鉛、
【図１】
2014173250.tif 000003
【図２】
2014173250.tif 000004
【図３】
2014173250.tif 000005
【図４】
2014173250.tif 000006
【図５】
2014173250.tif 000007
【図６】
2014173250.tif 000008